(57)【要約】  ワイヤレス通信中に制御チャネルシグナリングの送信を変更する態様が説明される。説明される態様は、専用チャネル(DCH)で送信されるシグナリング情報に対応する通信状態を検出することと、専用物理データチャネル(DPDCH)が通信状態の検出に基づいて送信されているかどうかを決定することと、DPDCHが送信されていないとの決定に応じて専用物理制御チャネル(DPCCH)ゲーティングパターンを実行することであり、DPCCHゲーティングパターンを実行することは、1つまたは複数のシグナリング無線ベアラ(SRB)が送信されていないときにDPCCHを断続的に送信することを含む、実行することとを含む。
2017535127.tif 000002
【特許請求の範囲】
【請求項１】
ワイヤレス通信中に制御チャネルシグナリングの送信を変更する方法であって、
専用チャネル(DCH)で送信されるシグナリング情報に対応する通信状態を検出するステップと、
専用物理データチャネル(DPDCH)が前記通信状態の検出に基づいて送信されているかどうかを決定するステップと、
前記DPDCHが送信されていないとの前記決定に応じて専用物理制御チャネル(DPCCH)ゲーティングパターンを実行するステップであって、前記DPCCHゲーティングパターンを実行するステップは、1つまたは複数のシグナリング無線ベアラ(SRB)が送信されていないときに前記DPCCHを断続的に送信するステップを含み、前記1つまたは複数のSRBが送信されていないときに前記DPCCHを断続的に送信するステップが、1つまたは複数の送信時間間隔(TTI)の各々の大部分で前記DPCCHの不連続送信(DTX)を実行するステップをさらに含む、ステップと
を含む、方法。
【請求項２】
前記1つまたは複数のTTIの間、前記DPCCHのDTXを実行するステップが、SRB送信間隔の第1の部分にわたって前記DPCCHを送信するステップをさらに含む、請求項1に記載の方法。
【請求項３】
前記DPCCHゲーティングパターンが、アップリンク(UL)DPCCHゲーティングパターンに対応する、請求項1に記載の方法。
【請求項４】
前記DPCCHゲーティングパターンが、ダウンリンク(DL)DPCCHゲーティングパターンに対応する、請求項1に記載の方法。
【請求項５】
前記DPDCHが送信されているかどうかを決定するステップが、1つまたは複数のシグナリング無線ベアラ(SRB)が現在送信されているかどうかを決定するステップをさらに含む、請求項1に記載の方法。
【請求項６】
前記DPDCHが送信されているとの前記決定に応じて前記DPCCHゲーティングパターンを実行することなく前記DPCCHを送信するステップをさらに含む、請求項1に記載の方法。
【請求項７】
前記通信状態は、前記シグナリング情報のみが音声情報なしに前記DCHで送信されている状態に対応する、請求項1に記載の方法。
【請求項８】
前記シグナリング情報がシグナリング無線ベアラ(SRB)をさらに含む、請求項1に記載の方法。
【請求項９】
前記通信状態を検出するステップが、前記DCHのための無線ベアラを設定するときに行われる、請求項1に記載の方法。
【請求項１０】
ワイヤレス通信中に制御チャネルシグナリングの送信を変更するための装置であって、
専用チャネル(DCH)で送信されるシグナリング情報に対応する通信状態を検出するための手段と、
専用物理データチャネル(DPDCH)が前記通信状態の検出に基づいて送信されているかどうかを決定するための手段と、
前記DPDCHが送信されていないとの前記決定に応じて専用物理制御チャネル(DPCCH)ゲーティングパターンを実行するための手段であって、前記DPCCHゲーティングパターンを実行することは、1つまたは複数のシグナリング無線ベアラ(SRB)が送信されていないときに前記DPCCHを断続的に送信することを含み、前記1つまたは複数のSRBが送信されていないときに前記DPCCHを断続的に送信するための手段が、1つまたは複数の送信時間間隔(TTI)の各々の大部分で前記DPCCHの不連続送信(DTX)を実行するための手段をさらに含む、手段と
を含む、装置。
【請求項１１】
前記1つまたは複数のTTIの間、前記DPCCHのDTXを実行するための手段が、SRB送信間隔の第1の部分にわたって前記DPCCHを送信するための手段をさらに含む、請求項10に記載の装置。
【請求項１２】
前記DPCCHゲーティングパターンが、アップリンク(UL)DPCCHゲーティングパターンに対応する、請求項11に記載の装置。
【請求項１３】
前記DPCCHゲーティングパターンが、ダウンリンク(DL)DPCCHゲーティングパターンに対応する、請求項11に記載の装置。
【請求項１４】
前記決定するための手段は、1つまたは複数のシグナリング無線ベアラ(SRB)が現在送信されているかどうかを決定するための手段をさらに含む、請求項11に記載の装置。
【請求項１５】
前記実行するための手段は、前記DPDCHが送信されているとの前記決定に応じて前記DPCCHゲーティングパターンを実行することなく前記DPCCHを送信するための手段をさらに含む、請求項11に記載の装置。
【請求項１６】
前記通信状態は、前記シグナリング情報のみが音声情報なしに前記DCHで送信されている状態に対応する、請求項11に記載の装置。
【請求項１７】
ワイヤレス通信中に制御チャネルシグナリングの送信を変更するための装置であって、
専用チャネル(DCH)で送信されるシグナリング情報に対応する通信状態を検出するように構成されたシグナリング検出構成要素と、
専用物理データチャネル(DPDCH)が前記通信状態の検出に基づいて送信されているかどうかを決定するように構成されたデータ送信決定構成要素と、
前記DPDCHが送信されていないとの前記決定に応じて専用物理制御チャネル(DPCCH)ゲーティングパターンを実行するように構成されたゲーティング構成要素であって、前記実行する構成要素が、1つまたは複数のシグナリング無線ベアラ(SRB)が送信されていないときに前記DPCCHを断続的に送信するようにさらに構成され、前記ゲーティング構成要素が、1つまたは複数の送信時間間隔(TTI)の各々の大部分で前記DPCCHの不連続送信(DTX)を実行するようにさらに構成される、ゲーティング構成要素と
を含む、装置。
【請求項１８】
前記ゲーティング構成要素が、SRB送信間隔の第1の部分にわたって前記DPCCHを送信するようにさらに構成される、請求項17に記載の装置。
【請求項１９】
前記DPCCHゲーティングパターンが、アップリンク(UL)DPCCHゲーティングパターンに対応する、請求項17に記載の装置。
【請求項２０】
前記DPCCHゲーティングパターンが、ダウンリンク(DL)DPCCHゲーティングパターンに対応する、請求項17に記載の装置。
【請求項２１】
前記データ送信決定構成要素は、1つまたは複数のシグナリング無線ベアラ(SRB)が現在送信されているかどうかを決定するようにさらに構成される、請求項17に記載の装置。
【請求項２２】
前記ゲーティング構成要素は、前記DPDCHが送信されているとの前記決定に応じて前記DPCCHゲーティングパターンを実行することなく前記DPCCHを送信するようにさらに構成される、請求項17に記載の装置。
【請求項２３】
前記通信状態は、前記シグナリング情報のみが音声情報なしに前記DCHで送信されている状態に対応する、請求項17に記載の装置。
【請求項２４】
前記シグナリング情報がシグナリング無線ベアラ(SRB)をさらに含む、請求項17に記載の装置。
【請求項２５】
前記シグナリング検出構成要素が、前記DCHのための無線ベアラを設定するときに前記通信状態を検出するようにさらに構成される、請求項17に記載の装置。
【請求項２６】
ワイヤレス通信中に制御チャネルシグナリングの送信を変更するための実行可能コードを記憶する非一時的なコンピュータ可読記録媒体であって、
専用チャネル(DCH)で送信されるシグナリング情報に対応する通信状態を検出するためのコードと、
専用物理データチャネル(DPDCH)が前記通信状態の検出に基づいて送信されているかどうかを決定するためのコードと、
前記DPDCHが送信されていないとの前記決定に応じて専用物理制御チャネル(DPCCH)ゲーティングパターンを実行するためのコードであって、前記DPCCHゲーティングパターンを実行するためのコードが、1つまたは複数のシグナリング無線ベアラ(SRB)が送信されていないときに前記DPCCHを断続的に送信するためのコードを含み、前記1つまたは複数のSRBが送信されていないときに前記DPCCHを断続的に送信するためのコードが、1つまたは複数の送信時間間隔(TTI)の各々の大部分で前記DPCCHの不連続送信(DTX)を実行するためのコードをさらに含む、コードと
を含む、コンピュータ可読記録媒体。
【請求項２７】
前記1つまたは複数のTTIの間、前記DPCCHのDTXを実行するためのコードが、SRB送信間隔の第1の部分にわたって前記DPCCHを送信するためのコードをさらに含む、請求項26に記載のコンピュータ可読記録媒体。
【請求項２８】
前記DPCCHゲーティングパターンが、アップリンク(UL)DPCCHゲーティングパターンに対応する、請求項26に記載のコンピュータ可読記録媒体。
【請求項２９】
前記実行するためのコードは、前記DPDCHが送信されているとの決定に応じて前記DPCCHゲーティングパターンを実行することなく前記DPCCHを送信するためのコードをさらに含む、請求項26に記載のコンピュータ可読記録媒体。
【請求項３０】
前記通信状態は、前記シグナリング情報のみが音声情報なしに前記DCHで送信されている状態に対応する、請求項26に記載のコンピュータ可読記録媒体。
【発明の詳細な説明】
【技術分野】
【０００１】
優先権の主張
本特許出願は、それらの全体が参照により本明細書に明確に組み込まれる、2014年9月26日に出願された「ENHANCED TRANSMISSION OF CONTROL CHANNEL SIGNALING OVER R99 UMTS」という名称の米国仮特許出願第62/056,283号、および「ENHANCED TRANSMISSION CONTROL CHANNEL SIGNALING OVER UMTS」という名称の2015年7月16日に出願された米国特許出願第14/801,621号の優先権を主張する。
【０００２】
本開示の態様は、一般に、ワイヤレス通信システムに関し、より詳細には、ワイヤレス通信中に制御チャネルシグナリングの送信を変更することに関する。
【背景技術】
【０００３】
ワイヤレス通信ネットワークは、電話、ビデオ、データ、メッセージ、ブロードキャストなどのような様々な通信サービスを提供するために広く配備されている。通常、多元接続ネットワークである、そのようなネットワークは、利用可能なネットワークリソースを共有することによって複数のユーザのための通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイル電気通信システム(UMTS:Universal Mobile Telecommunications System)の一部として規定された無線アクセスネットワーク(RAN)である。UMTSは、モバイル通信用グローバルシステム(GSM(登録商標): Global System for Mobile Communications)技術の後継技術であり、広帯域符号分割多元接続(W-CDMA)、時分割符号分割多元接続(TD-CDMA)、および時分割同期符号分割多元接続(TD-SCDMA)などの種々のエアインターフェース標準規格を現在サポートしている。UMTSは、より高いデータ転送速度および容量を、関連するUMTSネットワークに提供する、高速パケットアクセス(HSPA)などの拡張3Gデータ通信プロトコルもサポートする。
【０００４】
ワイヤレス通信ネットワークによっては、利用可能な通信リソース、特に、アップリンクのデータ送信の非効率的および/または非効果的利用が、ワイヤレス通信に劣化をもたらすことがある。さらに、前述の非効率的リソース利用は、ユーザ機器および/またはワイヤレスデバイスがより高いワイヤレス通信品質を実現することを妨げる。したがって、ワイヤレス通信中の制御チャネルシグナリングの送信の変更における改善が望まれている。
【発明の概要】
【課題を解決するための手段】
【０００５】
以下は、そのような態様の基本的理解を提供するために1つまたは複数の態様の簡単化した概要を提示する。この概要は、すべての考えられる態様の広範囲な概観ではなく、すべての態様の重要なまたは決定的な要素を識別することも、すべてもしくは一部の態様の範囲を線引きすることも意図されていない。その唯一の目的は、後に提示されるより詳細な説明の前置きとして、簡略化された形態で1つまたは複数の態様のいくつかの概念を提示することである。
【０００６】
一態様によれば、本方法が、ワイヤレス通信中に制御チャネルシグナリングの送信を変更することに関連する。説明する態様は、専用チャネル(DCH)で送信されるシグナリング情報に対応する通信状態を検出するステップと、専用物理データチャネル(DPDCH)が、通信状態の検出に基づいて送信されているかどうかを決定するステップと、DPDCHが送信されていないとの決定に応じて専用物理制御チャネル(DPCCH)ゲーティングパターンを実行するステップであり、DPCCHゲーティングパターンを実行するステップは、1つまたは複数のシグナリング無線ベアラ(SRB)が送信されていないときにDPCCHを断続的に送信するステップを含む、実行するステップとを含む。
【０００７】
別の態様では、コンピュータ実行可能コードを記憶するコンピュータ可読媒体が、ワイヤレス通信中に制御チャネルシグナリングの送信を変更するコードに関連する。説明する態様は、DCHで送信されるシグナリング情報に対応する通信状態を検出するためのコードと、DPDCHが通信状態の検出に基づいて送信されているかどうかを決定するためのコードと、DPDCHが送信されていないとの決定に応じてDPCCHゲーティングパターンを実行するためのコードであり、DPCCHゲーティングパターンを実行するコードは、1つまたは複数のSRBが送信されていないときにDPCCHを断続的に送信するためのコードを含む、実行するためのコードとを含む。
【０００８】
さらなる態様では、装置が、ワイヤレス通信中に制御チャネルシグナリングの送信を変更することに関連する。説明する態様は、DCHで送信されるシグナリング情報に対応する通信状態を検出するための手段と、DPDCHが通信状態の検出に基づいて送信されているかどうかを決定するための手段と、DPDCHが送信されていないとの決定に応じてDPCCHゲーティングパターンを実行するための手段であり、DPCCHゲーティングパターンを実行することは、1つまたは複数のSRBが送信されていないときにDPCCHを断続的に送信することを含む、実行するための手段とを含む。
【０００９】
別の態様では、装置が、ワイヤレス通信中に制御チャネルシグナリングの送信を変更することに関連する。説明する態様は、DCHで送信されるシグナリング情報に対応する通信状態を検出するように構成された信号検出構成要素と、DPDCHが通信状態の検出に基づいて送信されているかどうかを決定するように構成されたデータ送信決定構成要素と、DPDCHが送信されていないとの決定に応じてDPCCHゲーティングパターンを実行するように構成されたゲーティング構成要素であり、実行する構成要素が、1つまたは複数のSRBが送信されていないときにDPCCHを断続的に送信するようにさらに構成される、ゲーティング構成要素とを含む。
【００１０】
本開示の様々な態様および特徴が、添付図面に示されるような本開示の様々な例を参照しながら一層詳細に以下で説明される。本開示が様々な例を参照しながら以下で説明されるが、本開示はそれらに限定されないことを理解すべきである。本明細書の教示を利用できる当業者は、本明細書で説明する本開示の範囲内であるとともに本開示がそれらに関してかなり有用であり得る、追加の実装形態、変更形態、および例、ならびに他の使用分野を認識されよう。
【００１１】
本開示の特徴、特質、および利点は、同様の参照記号が全体を通して対応して識別する図面に関連して行われる以下に記載の詳細な説明からより明らかになるはずであり、ここで、破線は、オプションの構成要素または作用を示すことがある。
【図面の簡単な説明】
【００１２】
【図１】シグナリング情報のみがアップリンクチャネルで送信されるとき拡張制御チャネルシグナリングを実行するユーザ機器(UE)に関連する本開示の態様を含むワイヤレス通信システムの一例を示す概略図である。
【図２】本開示で説明するようにシグナリング情報のみがアップリンクチャネルで送信されるときの拡張制御チャネルシグナリングの態様の一例を示すUEによって利用され得る送信方式の概念図である。
【図３】本開示で説明するようにシグナリング情報のみがアップリンクチャネルで送信されるときの拡張制御チャネルシグナリングの態様の一例を示すUEによって利用され得る送信方式の概念図である。
【図４】シグナリング情報のみがアップリンクチャネルで送信されるとき拡張制御チャネルシグナリングを実行するUEに関連するワイヤレス通信システムの例示的な方法を示す流れ図である。
【図５】シグナリング情報のみがアップリンクチャネルで送信されるとき拡張制御チャネルシグナリングを実行するUEに関連するワイヤレス通信システムの別の例示的な方法を示す流れ図である。
【図６】本開示の全体にわたって説明するような拡張制御チャネルシグナリングに関連するUEおよびアップリンクおよびダウンリンクの機能の態様のより詳細な例示のアーキテクチャを示す概略図である。
【発明を実施するための形態】
【００１３】
添付図面に関連して以下に記載される詳細な説明は、様々な構成の説明として意図されており、本明細書で説明する概念を実践することができる唯一の構成を表すように意図されていない。詳細な説明は、様々な概念の完全な理解を与える目的で特定の詳細を含んでいる。しかしながら、これらの概念がこれらの特定の詳細なしに実践され得ることが当業者には明らかであろう。いくつかの事例では、よく知られている構成要素は、そのような概念を不明瞭にしないようにするためにブロック図形態で示される。一態様では、本明細書で使用する「構成要素」という用語は、システムを構成する部分のうちの1つとすることができ、ハードウェアまたはソフトウェアとすることができ、他の構成要素に分割することができる。
【００１４】
本態様は、一般に、シグナリング情報のみが専用チャネル(DCH)で送信されるときの拡張制御チャネルシグナリングに関する。たとえば、HSPAネットワークは、データが高速ダウンリンクパケットアクセス(HSDPA)および拡張アップリンク(EUL)チャネルで送信されながら、より大きい信頼性のために上位層制御チャネルシグナリング(たとえば、シグナリング無線ベアラ(SRB))を送信するためにDCHを使用することができる。一態様では、DCHがさらに音声トラフィックを搬送する場合、回線交換DCH送信の間不連続送信(DTX)および不連続受信(DRX)機会を可能にし、ならびにDCH送信と一緒にHSPA連続パケット接続(CPC)動作を可能にすることによって、UEバッテリ寿命の著しい改善が達成され得る。しかしながら、DCH通話路が、音声トラフィックなしにSRBのみを搬送する状況では、SRBトラフィックの断続的性質をさらに利用して、リンク効率とバッテリ寿命の両方のより多くの節約を生み出すことができる。
【００１５】
一態様では、パイロット、送信電力制御(TPC)、および、場合によってはトランスポートフォーマット組合せインジケータ(TFCI)ビットを搬送する物理層専用物理制御チャネル(DPCCH)チャネルは、圧縮モードギャップ以外のすべてのタイムスロットで送信され得る。DPCCHは、電力制御のために、また場合によってはDCHの復調のためにも必要とされる。一態様では、DPCCHは、すべてのタイムスロットで送信される必要がなく、したがって、音声トラフィックが送信されているとき(たとえば、DCHが音声トラフィックとSRBの両方を搬送する場合)でさえ、DTXおよびDRXを可能にすることができる。音声通話の間、音声トラフィックに関連するトランスポートブロックは、時間間隔を置いて(たとえば、20msごとに)発生され、したがって、このようにして作り出され得るDTXおよびDRXギャップの量は、DPCCHがこれらの音声パケットをサポートするために必要とされるので制限される。しかしながら、DCHがSRBのみを搬送する場合、DCHコード化統合送信チャネル(CCTrCh: DCH coded composite transmit channel)は2つの可能なトランスポートフォーマット組合せのみ、すなわちSRBが送信されるもの、またはSRBが送信されないものを有する。いくつかの構成では、たとえば、専用物理データチャネル(DPDCH)は、SRBが送信されないときDTXされる。さらに、SRBは断続的であり、だから、DPCCHのみが送信されている時間の期間(たとえば、数百のSRB TTI)が存在し得る。したがって、さらに、これらのDCH拡張により、常に、DPCCHは、必要であるよりもはるかに多いスロットで送信されることになる。
【００１６】
それゆえに、いくつかの態様において、本方法および装置は、シグナリング情報のみがDCHで送信されているときUEが制御チャネルシグナリングを拡張できるようにすることによって、現行の解決策と比較して、効率的な解決策を提供することができる。言い換えれば、本態様において、UEは、ワイヤレス通信中に制御チャネルシグナリングの送信を変更して、送信電力を節約し、干渉を低減することができる。したがって、本態様は、DCHで送信されるシグナリング情報に対応する通信状態を検出し、DPDCHが通信状態の検出に基づいて送信されているかどうかを決定し、DPDCHが送信されていないとの決定に応じてDPCCHゲーティングパターンを実行するための1つまたは複数の機構を提供し、ここにおいて、DPCCHゲーティングパターンを実行することは、1つまたは複数のSRBが送信されていないときにDPCCHを断続的に送信することを含む。
【００１７】
図1を参照すると、一態様では、ワイヤレス通信システム10は、少なくとも1つのネットワークエンティティ14(たとえば、基地局)の通信カバレッジに少なくとも1つのUE12を含み、ここで、UE12は、ワイヤレス通信中に制御チャネルシグナリングの送信を変更できるプロセッサ30上で動作するアップリンク(UL)処理構成要素31を含む。たとえば、UE12は、ネットワークエンティティ14を介したネットワーク16へのアップリンク送信のために比較的少量のバースト的データを有することができ、UL処理構成要素31は、データ送信がない場合にUE12が制御チャネルシグナリングを低減できるようにする。一例では、UE12は、限定はしないが、DCHなどの1つまたは複数の通信チャネル18を介して、ネットワークエンティティ14へのワイヤレス通信を送信するおよび/またはネットワークエンティティ14からのワイヤレス通信を受信することができ、1つまたは複数の通信チャネル18は、限定はしないが、DPDCHなどのデータ通信チャネル19と、限定はしないが、DPCCHなどの制御通信チャネル20とを含むことができる。そのようなワイヤレス通信は、限定はしないが、データ通信チャネル19の音声トラフィックおよび/またはデータトラフィックと、制御通信チャネル20のシグナリング情報44(たとえば、SRB22を含む)および/または制御シグナリングとを含むことができる。
【００１８】
一態様では、UE12は1つまたは複数のプロセッサ30を含むことができ、1つまたは複数のプロセッサ30は、1つまたは複数のプロセッサモジュールとして実装されたUL処理構成要素31を含むことができ、または1つまたは複数のプロセッサ30は、1つまたは複数のプロセッサ30によって実行されたときUL処理構成要素31を実現するコンピュータ可読コードを記憶するコンピュータ可読媒体と通信することができる。
【００１９】
上記のように、UL処理構成要素31は、ワイヤレス通信中に制御チャネルシグナリングの送信を変更して、送信電力を節約し、干渉を低減するように構成される。具体的には、一態様では、1つまたは複数のプロセッサ30は、UL処理構成要素31および/またはシグナリング検出構成要素40を実行することができ、シグナリング検出構成要素40は、通信チャネル18、たとえば、DCHで送信されているシグナリング情報44の存在に対応する通信状態42を検出するように構成することができる。一態様では、たとえば、UL処理構成要素31および/またはシグナリング検出構成要素40は、シグナリング情報44のみ(たとえば、1つまたは複数のSRB)が制御通信チャネル20で送信されていることを検出することができる。その上、UL処理構成要素31および/またはシグナリング検出構成要素40は、データ通信チャネル19での音声および/またはデータトラフィックの同時送信なしに、シグナリング情報44のみが、限定はしないが、DCHなどの通信チャネル18で送信されている状態に通信状態42が対応していることを検出することができる。
【００２０】
さらに、一態様では、1つまたは複数のプロセッサ30および/またはUL処理構成要素31は、データ送信決定構成要素50を含むことができ、データ送信決定構成要素50は、DPDCH19が送信されているかどうかを決定するように構成することができる。一態様では、通信状態42を検出するシグナリング検出構成要素40の動作は、データ通信チャネル19、たとえば、DPDCHが送信されているかどうかを決定するデータ送信決定構成要素50に基づく。代替の態様では、データ送信決定構成要素50の動作は、通信状態42、たとえば、通信チャネル18、たとえば、DCHで送信されているシグナリング情報44の存在を検出するシグナリング検出構成要素40に基づく。いずれにしても、前述のように、1つの態様では、通信状態42は、データ通信チャネル19での音声トラフィックおよび/またはデータトラフィックなしにシグナリング情報44(たとえば、SRB22)のみがDCH(たとえば、通信チャネル18)で伝わっている状態に対応することができる。たとえば、UL処理構成要素31および/またはデータ送信決定構成要素50は、データ通信チャネル19、たとえば、DPDCHが送信されているかどうかを決定するために、1つまたは複数のSRB22がDCHで現在送信されているかどうかを決定するように構成することができる。UL処理構成要素31および/またはデータ送信決定構成要素50は、この決定の根拠を、DCHがSRBのみを搬送する場合、DCHコード化統合送信チャネル(CCTrCH)が2つの可能なトランスポートフォーマット組合せのみ、すなわちSRBが送信されるもの、またはSRBが送信されないものを有するということに基づき得る。一態様では、データ通信チャネル19、たとえば、DPDCHは、不連続送信される(DTXされる)、たとえば、SRB22が送信されていないときなどのいくつかの事例では送信されないことがある。したがって、たとえば、SRB22が送信されていない場合、UL処理構成要素31および/またはデータ送信決定構成要素50は、データ通信チャネル19、たとえば、DPDCHが送信されていないと決定することができる。そうでない場合は、たとえば、SRB22が送信されている場合、UL処理構成要素31および/またはデータ送信決定構成要素50は、データ通信チャネル19、たとえば、DPDCHが送信されていると決定することができる。
【００２１】
別の態様では、1つまたは複数のプロセッサ30および/またはUL処理構成要素31は、ゲーティング構成要素60を含むことができ、ゲーティング構成要素60は、データ通信チャネル19、たとえば、DPDCHが送信されていないとの決定に応じてDPCCHゲーティングパターン62を実行するかまたはさもなければDPCCHゲーティングパターン62を制御通信チャネル20に適用するように構成することができる。たとえば、DPCCHゲーティングパターン62は、TTIの、たとえば、限定はしないが、複数のスロットを含む、1つまたは複数の部分内のDPCCH送信を阻止する(たとえば、不連続送信、すなわちDTX)または許容するパターンとして規定することができる。一態様では、たとえば、ゲーティング構成要素60は、1つまたは複数のSRBが送信されていないとき制御通信チャネル20、たとえば、DPCCHの断続送信を引き起こすことによって、DPCCHゲーティングパターン62を実行することができる。一態様では、たとえば、UL処理構成要素31および/またはゲーティング構成要素60は、DPDCH19が送信されていないことが決定された場合、1つまたは複数の送信時間間隔(TTI)の間制御通信チャネル20、たとえば、DPCCHの不連続送信(DTX)を実行するように構成することができる。さらに、一態様では、たとえば、1つまたは複数のTTIの間制御通信チャネル20、たとえば、DPCCHのDTXを実行することは、SRB送信間隔の第1の部分にわたって制御通信チャネル20、たとえば、DPCCHを送信することを含むことができる。
【００２２】
たとえば、限定と解釈されるべきでない特定の使用の場合には、図2および図3を参照すると、制御通信チャネル20、たとえば、DPCCHに関してゲーティング構成要素60を実行するUL処理構成要素31の動作は、シグナリング情報のみがアップリンクチャネルで送信されるときの基地局などのネットワークエンティティへのユーザ機器による拡張制御チャネルシグナリングのための、それぞれ、送信方式70および送信方式90によって表され得る。より詳細には、図2および図3は、SRBが単にDCHによって送信されている場合のユーザ機器によるDPCCH不連続送信を示す。送信方式70および送信方式90は、上述のようにUL処理構成要素31および/またはDL処理構成要素32の実行などを介してUE12によって実行され得る。
【００２３】
図2を参照すると、送信方式70は、データチャネル、たとえば、DPDCH72と、制御チャネル、たとえば、DPCCH74とを含む通信チャネル18(図1)などのDCH71によって送信するために、UE12によって使用され得る。たとえば、DPDCH72およびDPCCH74は、UE12(図1)などのUEとネットワークエンティティ14などのネットワークエンティティとの間のアップリンク通信およびダウンリンク通信を行う、それぞれ、物理データチャネルおよび物理制御チャネルとすることができる。一態様では、UE12は、ある期間にわたって1つまたは複数の送信時間間隔(TTI)内に信号を送信するためにDPDCH72およびDPCCH74を使用することができる。限定と解釈されるべきでない一例では、各TTIは、長さ(たとえば、長さ76)を40msとすることができる。たとえば、UE12は、第1のTTI78全体にわたってDPDCH72によってデータ77を送信し、一方、第1のTTI78においてDPCCH74によって、たとえば、1つまたは複数のSRBを含む制御シグナリング79を同時に送信することができる。しかしながら、SRB(図1のSRB22など)が単にDCH71のDPCCH74で送信され、たとえば図2に示した第2のTTI80および後続のTTIの間、DPDCH72に音声または他のデータトラフィックがない場合、DPCCH74でのSRB送信82は、不連続とすることができ、たとえば、SRB送信が生じない、DTX84として示された不連続送信期間を含むことができる。この例では、たとえば、TTI80が長さ40msである場合、SRB送信82は、40msTTI80のうちの20msの間、たとえば、TTI内の2つの10ms期間の間行うことができ、ここで、2つの10msの期間はDTX84だけ分離されていてもよく(図示のように)、または隣接していてもよい。したがって、この態様では、50%DTX/DRX利得を観察することができ、たとえば、UE12は、DPCCH74でSRB82を送信しないことによって電力消費の50%を節約することができ、他のUE、またはネットワークエンティティ14などのネットワークエンティティは、受信干渉信号の50%低減を経験することができる。
【００２４】
図3を参照すると、代替の送信方式90が、DCH71によって送信するためにUE12により使用され得、ここで、送信方式90は、図2の送信方式70に比べて追加のDTX/DRX利得を提供する。特に、送信方式90は、DPDCH72に音声または他のデータトラフィックがないときSRB送信82がさらに中止されるという点で送信方式70(図2)と異なる。一例では、SRB送信が極めてまれにしか起こらないこと(たとえば、約1〜2%の送信可能性)を考慮すると、SRB送信82は、UE12が送信方式90を実施することによってさらに減少し得る。たとえば、各TTIが40msの長さを有する場合、SRB送信82は、40msTTIのうちの1つの10msの期間、たとえば、第1の10msなどの間にのみ生じ得る。この特定の例では、たとえば、送信方式70と比較して、送信方式90は、TTI80の第3の10msの期間(および後続のTTI)の間送信を中止する。その結果として、75%DTX/DRX利得が、DPCCH74での連続送信と比較して、送信方式90を使用して観察され、それによって、追加の電力節約をUE12に与え、他のUEまたはネットワークエンティティなどの他のデバイスの受信信号に関して干渉低減を行うことができる。
【００２５】
図1に戻ると、アップリンク処理構成要素31(シグナリング検出構成要素40、データ送信決定構成要素50、およびゲーティング構成要素60を含む)が、UE12などのUEの一部分であり、および/またはUE12などのUEで動作するように構成されるとして上述されているが、いくつかの態様では、アップリンク処理構成要素31(シグナリング検出構成要素40、データ送信決定構成要素50、およびゲーティング構成要素60を含む)は、ネットワークエンティティ14などのネットワークエンティティの一部であり、および/またはネットワークエンティティ14などのネットワークエンティティのダウンリンク送信で同様に動作するように構成されてもよいことに留意すべきである。一態様では、UE12とネットワークエンティティ14の両方は、ワイヤレス通信中に制御チャネルシグナリングの送信を変更して、送信電力を節約し、干渉を低減するために、ダウンリンクであることを別とすればアップリンク処理構成要素31と同様の機能を有するダウンリンク処理構成要素を実行する1つまたは複数のプロセッサ30で構成することができる。
【００２６】
さらに、一態様では、1つまたは複数のプロセッサ30およびアップリンク処理構成要素31(シグナリング検出構成要素40、データ送信決定構成要素50、およびゲーティング構成要素60を含む)は、コンピュータ可読媒体に記憶されたコンピュータ実行可能命令によって実装することができる。態様によっては、1つまたは複数のプロセッサ30およびアップリンク処理構成要素31(シグナリング検出構成要素40、データ送信決定構成要素50、およびゲーティング構成要素60を含む)は、1つまたは複数のプロセッサモジュールによってなどの1つまたは複数のプログラム化ハードウェア構成要素によって部分的にまたは全体として実装することができる。本明細書で使用するUE12は、モバイル装置を含むことができ、本開示の全体にわたってそのように呼ぶことがある。そのようなモバイル装置またはUE12は、さらに、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、モノのインターネットのためのデバイス、または何か他の好適な用語を当業者が参照することがある。
【００２７】
追加として、本明細書で使用するとき、限定はしないが、ワイヤレス通信システム10のネットワークエンティティ14を含む1つまたは複数のワイヤレスノードは、基地局またはノードBを含むアクセスポイント、リレー、ピアツーピアデバイス、認証、認可、および課金(AAA)サーバ、モバイル交換センター(MSC)、無線ネットワークコントローラ(RNC)などのような1つまたは複数の任意のタイプのネットワーク構成要素を含むことができる。さらなる態様では、ワイヤレス通信システム10の1つまたは複数のワイヤレスサービングノードは、限定はしないが、フェムトセル、ピコセル、マイクロセル、またはマクロ基地局と比較して比較的小さい送信電力または比較的小さいカバレッジ区域を有する任意の他の基地局などの1つまたは複数のスモールセル基地局を含むことができる。
【００２８】
図4、図5、および図6を参照すると、本装置および方法による1つまたは複数のプロセッサ30(図1)の一態様の1つまたは複数の動作の例(図4および図5)および/またはアーキテクチャレイアウトおよび構成要素およびサブ構成要素(図6)の例が、1つまたは複数の方法およびこれらの方法の処置を実行することができる1つまたは複数の構成要素を参照しながら説明される。以下で説明する動作は、特定の順序で、および/または例示の構成要素によって実行されるように提示されるが、処置の順序および処置を実行するおよび構成要素は、実施態様に応じて変更され得ることが理解されるべきである。さらに、1つまたは複数のプロセッサ30はいくつかのサブ構成要素を有するように示されるが、図示のサブ構成要素のうちの1つまたは複数は、1つまたは複数のプロセッサ30からおよび/または互いに分離することができ、しかし、1つまたは複数のプロセッサ30とおよび/または互いに通信することができることを理解すべきである。その上、1つまたは複数のプロセッサ30および/またはそのサブ構成要素に関して説明する以下の処置または構成要素は、特別にプログラムされたプロセッサ、特別にプログラムされたソフトウェアもしくはコンピュータ可読媒体を実行するプロセッサによって、または説明する処置もしくは構成要素を実行するように特別に構成されたハードウェア構成要素および/またはソフトウェアコンポーネントの任意の他の組合せによって実行され得ることを理解すべきである。
【００２９】
たとえば、図4は、ワイヤレス通信中に制御チャネルシグナリングの送信を変更する方法100の1つの態様に関連し、一方、図5は、限定はしないが、DPCCHなどの制御通信チャネル20でSRBが送信されているか否かを決定する方法200の1つの態様に関連する。さらに、図6は、方法100(図4)および方法200(図5)の処置に対応する構成要素およびサブ構成要素の実装アーキテクチャの1つの態様に関連する。たとえば、1つの実施態様では、図1の1つまたは複数のプロセッサ30は、トランシーバ25、ベースバンドプロセッサ33、およびアプリケーションプロセッサ35を含んでもよく、またはそれらの中に含まれてもよい。一態様では、たとえば、図1の1つまたは複数のプロセッサ30の各々は、トランシーバ25、ベースバンドプロセッサ33、およびアプリケーションプロセッサ35の各々のうちの1つまたは複数の中に含まれてもよい。一例として、ベースバンドプロセッサ33は、トランシーバ25および1つまたは複数のアンテナ27によって送信および/または受信される無線信号(たとえば、DCH、DPDCH、DPCCH、SRBなど)のためのデジタル処理を実行することができ、ここで、トランシーバ25は、送信器機能と受信器機能の両方を含むマルチバンドおよび/またはマルチモードのデバイスまたは回路とすることができる。その上、一態様では、たとえば、トランシーバ25は、限定はしないが、セルラー、WiFi、ブルートゥース(登録商標)、および/または全地球測位システム(GPS)を含む複数の異なるタイプの信号を受信するように構成することができる。無線周波数(RF)フロントエンド21は、1つまたは複数のアンテナ27とトランシーバ25とを接続することができ、ここで、RFフロントエンド21は、1つまたは複数のマルチモードおよび/またはマルチモード電力増幅器26と、送信および/または受信信号を処理するための1つまたは複数の帯域固有フィルタ23を含むことができる。さらに、アプリケーションプロセッサ35は、ユーザインターフェース構成要素、またはUE12によって実行される他のアプリケーションを制御するためのプロセッサとすることができる。それゆえに、本明細書で説明するようなアップリンク処理構成要素31(およびオプションのダウンリンク(DL)処理構成要素32)の態様は、ベースバンドプロセッサ33などのUE12の1つまたは複数のプロセッサ30によって実行され得る。
【００３０】
特定の態様では、図4および図6を参照すると、ワイヤレス通信の方法100は、ブロック102において、専用チャネル(DCH)で送信されているシグナリング情報に対応する通信状態を検出することを含む。一態様では、たとえば、ベースバンドプロセッサ33などの1つまたは複数のプロセッサ30は、DCH(たとえば、図1の通信チャネル18)で送信されているシグナリング情報44に対応する通信状態42を検出するために、UL処理構成要素31(図6)および/またはシグナリング検出構成要素40を実行することができる。一態様では、通信状態42は、シグナリング情報44がDCHで伝わっている場合およびオプションとしてDCHに存在する音声トラフィックがない場合の状態に対応する。いくつかの態様では、シグナリング情報は、1つまたは複数のSRB22を含むことができる。たとえば、UL処理構成要素31(図6)および/またはシグナリング検出構成要素40は、音声トラフィックがDCHで同時に送信されることなく1つまたは複数のSRB22がDCHで送信されているかどうかを検出するように構成することができる。一事例では、UL処理構成要素31(図6)および/またはシグナリング検出構成要素40は、DCHのための無線ベアラ(RB)をセットアップするときに通信状態42を検出することができる。
【００３１】
さらに、ブロック104(図4)において、方法100は、専用物理データチャネル(DPDCH)が通信状態の検出に基づいて送信されているかどうかを決定することを含むことができる。一態様では、たとえば、ベースバンドプロセッサ33などの1つまたは複数のプロセッサ30は、データ通信チャネル19、たとえば、DPDCHが通信状態42の検出に基づいて送信されているかどうかを決定するためにUL処理構成要素31(図6)および/またはデータ送信決定構成要素50を実行することができる。一態様では、たとえば、UL処理構成要素31(図6)および/またはデータ送信決定構成要素50は、DPDCHが送信されているかどうかを決定するために1つまたは複数のSRB22(図1)がDCHで現在送信されているかどうかを決定するように構成することができる。一例では、通信状態42はDCHで送信されているシグナリング情報44に対応し、シグナリング情報44は1つまたは複数のSRB22に対応することができるので、UL処理構成要素31(図6)および/またはデータ送信決定構成要素50は、1つまたは複数のSRB22(図1)が通信チャネル18(たとえば、DCH)で現在送信されているかどうかを決定することができる。UL処理構成要素31(図6)および/またはデータ送信決定構成要素50は、この決定の根拠を、DCHがSRBのみを搬送する場合、DCHコード化統合送信チャネル(CCTrCH)が2つの可能なトランスポートフォーマット組合せのみ、すなわちSRBが送信されるもの、またはSRBが送信されないものを有するということに基づき得る。したがって、たとえば、SRB22が送信されていないとき、UL処理構成要素31(図6)および/またはデータ送信決定構成要素50は、DPDCHが送信されていないと決定することができる。そうでない場合は、たとえば、SRB22が送信されているとき、UL処理構成要素31(図6)および/またはデータ送信決定構成要素50は、DPDCHが送信されていると決定することができる。
【００３２】
ブロック106(図4)において、方法100は、DPDCHが送信されていないとの決定に応じて専用物理制御チャネル(DPCCH)ゲーティングパターンを実行することを含むことができ、ここにおいて、DPCCHゲーティングパターンを実行することは、1つまたは複数のシグナリング無線ベアラ(SRB)が送信されていないときにDPCCHを断続的に送信することを含む。一態様では、たとえば、ベースバンドプロセッサ33などの1つまたは複数のプロセッサ30は、データ通信チャネル19、たとえば、DPDCHが送信されていないとの決定に応じてDPCCHゲーティングパターン62を実行するためにUL処理構成要素31(図6)および/またはゲーティング構成要素60を実行することができ、ここにおいて、DPCCHゲーティングパターン62を実行することは、1つまたは複数のSRB22(図1)が送信されていないときに制御通信チャネル20、たとえば、DPCCHを断続的に送信することを含む。一態様では、たとえば、UL処理構成要素31(図6)および/またはゲーティング構成要素60は、DPDCHが送信されていないことが決定されたときに1つまたは複数の送信時間間隔(TTI)の間DPCCHの不連続送信(DTX)を実行するように構成することができる。さらに、一態様では、たとえば、1つまたは複数のTTIの間DPCCHのDTXを実行することは、SRB送信間隔の第1の部分にわたってDPCCHを送信することを含むことができる。一事例では、SRB送信間隔は、長さ40ミリ秒(ms)とすることができ、したがって、第1の部分は、40ms間隔の第1の10msを含むことができる。それゆえに、DPCCHは、40msSRB送信間隔の第1の10msにわたって送信され得る。その上、DPCCHゲーティングパターン62は、アップリンク(UL)DPCCHゲーティングパターンに対応することができ、ここにおいて、情報は、UE12(図1)などのUEの方向からネットワークエンティティ14(図1)などのネットワークエンティティに送信される。さらなる態様では、UL DPCCHゲーティングパターンは、ネットワークエンティティ14(図1)などのネットワークエンティティの方向からUE12(図1)などのUEに送信される情報に対応するダウンリンク(DL)DPCCHゲーティングパターンと同期され得る。たとえば、UL処理構成要素31は、両方のチャネルが電力制御され得るように、ULチャネルとDLチャネルの両方での送信を時間整合させるためにDL処理構成要素32と同期することができる。これは、UL DPCCHの信号対干渉(SIR)測定が、DL DPCCHで送られる送信電力制御(TPC)コマンドの発生をもたらし、逆の場合も同じであることに基づく。たとえば、一態様では、他のリンクが不連続送信されている間1つのリンクのみ(たとえば、ULまたはDLのいずれか)が送信している場合、送信リンクは電力制御凍結され得る。したがって、UL DPCCHゲーティングパターンとDL DPCCHゲーティングパターンとの同期は、1つまたは複数のSRB22(図1)の送信の間DCHの電力制御を維持する。
【００３３】
ブロック108(図4)において、方法100は、オプションとして、DPDCHが送信されているとの決定に応じてDPCCHゲーティングパターンを実行することなくDPCCHを送信することを含むことができる。一態様では、たとえば、ベースバンドプロセッサ33などの1つまたは複数のプロセッサ30は、DPDCHが送信されているとの決定に応じてDPCCHゲーティングパターン62を実行することなくDPCCHを送信するためにUL処理構成要素31(図6)および/またはゲーティング構成要素60を実行することができる。
【００３４】
特定の態様の別の例では、図5および図6を参照すると、ワイヤレス通信の方法200は、SRBが送信されているかどうかを検出することに関連し、オプションとして、ブロック202において、DPDCH DTX検出またはDPCCH DTX検出を使用すべきかどうかを決定することを含む。一態様では、たとえば、ベースバンドプロセッサ33などの1つまたは複数のプロセッサ30は、DPDCH DTX検出43またはDPCCH DTX検出45を使用するためにDL処理構成要素32(図6)および/または検出決定構成要素41を実行することができる。たとえば、DPDCH DTX検出43は、DTXがデータ通信チャネル19、たとえば、DPDCHのダウンリンクに存在しているか否かを決定し、アップリンクの、たとえば、DTXをさらに実行するために、同様のDPCCHゲーティングパターン62を、制御通信チャネル20、たとえば、DPCCHに適用することを決定するように動作する。さらに、たとえば、DPCCH DTX検出45は、DPCCHが制御通信チャネル20、たとえば、DPCCHのダウンリンクに存在しているか否かを決定し、アップリンクの、たとえば、DPCCHをさらに送信するかまたはDTXを実行するために、同様のDPCCHゲーティングパターン62を制御通信チャネル20、たとえば、DPCCHに適用することを決定するように動作する。DPDCH DTX検出43またはDPCCH DTX検出45の使用は、たとえば、UE12の製造業者または1つまたは複数のプロセッサ30によって構成されるか、またはネットワークエンティティ14を介してネットワークのオペレータによってUE12に信号で伝えられ得る。DPDCH DTX検出43またはDPCCH DTX検出45は、ここでは、アップリンクをゲート制御する方法を決定するためにダウンリンクをモニタすることに関して説明されているが、DPDCH DTX検出43またはDPCCH DTX検出45は、さらに、同様に、本明細書で説明する原理を使用して、アップリンクをゲート制御する方法を決定するためにアップリンクで、またはダウンリンクをゲート制御する方法を決定するダウンリンクで使用されてもよいことに留意すべきである。
【００３５】
一態様では、ブロック204において、方法200は、オプションとして、DPDCH DTX検出を使用することを含むことができる。一態様では、たとえば、ベースバンドプロセッサ33などの1つまたは複数のプロセッサ30は、DPDCH DTX検出モード43を使用するためにDL処理構成要素32(図6)および/または検出決定構成要素41を実行することができる。たとえば、それ以来、2つの可能なトランスポートフォーマット組合せ(たとえば、SRBが送信されるものまたはSRBが送信されないもの)のみが存在する。したがって、DPDCH DTX検出モード43は、SRBが送信されているか否かを決定するために使用することができる。さらに、いくつかの態様では、DPDCH DTX検出モード43の使用は、SRBが送信されていない場合TFCIビットが必要とされず、だから、TFCIビットを有していないUL DPCCHスロットフォーマットが、効率を向上させるためにおよび/またはより多くのパイロットビットを利用するために使用され得るので、TFCI送信の必要性を除去することができる。
【００３６】
代替の態様では、ブロック206において、方法200は、オプションとして、DPCCH DTX検出を使用することを含むことができる。一態様では、たとえば、ベースバンドプロセッサ33などの1つまたは複数のプロセッサ30は、DPCCH DTX検出45を使用するためにDL処理構成要素32(図6)および/または検出決定構成要素41を実行することができる。たとえば、ゲーティングパターン62は、すべてのSRB TTIの最初と最後の少数スロットにDTXを含むことができる。DPCCHは、チャネル推定および電力制御のためにプリアンブルおよびポストアンブルとして役立つようにSRB送信の前および直後の数スロットに加えてSRB送信の間に送信され得る。したがって、プリアンブルスロットにおけるDPCCHの検出は、SRB22が次のSRB TTIで送信され得るという表示として役立つ。
【００３７】
さらなる態様では、ブロック208において、方法200は、DCHのダウンリンクチャネルのSRBを検出することを含むことができる。一態様では、たとえば、1つまたは複数のプロセッサ30は、DCHのDLチャネルの1つまたは複数のSRB22を検出するためにDL処理構成要素32(図6)および/または検出決定構成要素41を実行することができる。一事例では、DL処理構成要素32(図6)および/または検出決定構成要素41は、上述のように、DPDCH DTX検出43またはDPCCH DTX検出45の実施に基づいてDCHのDLチャネルの1つまたは複数のSRB22を検出することができる。
【００３８】
一態様では、ブロック210において、方法200は、DCHのダウンリンクチャネルのSRBの検出に応じてDCHのアップリンクチャネルでDPCCHを送信することを含むことができる。一態様では、たとえば、ベースバンドプロセッサ33などの1つまたは複数のプロセッサ30は、DCHのダウンリンクチャネルのSRB22の検出に応じてDCHのアップリンクで制御通信チャネル20、たとえば、DPCCHを送信するためにDL処理構成要素32(図6)、および/またはRFフロントエンド21およびアンテナ27を実行することができる。したがって、DCHのアップリンクチャネルでのDPCCHの送信は、1つまたは複数のSRB22の送信の間DCHの電力制御を維持する。
【００３９】
電気通信システムのいくつかの態様がW-CDMAシステムを参照しながら提示された。当業者なら容易に理解するように、本開示の全体にわたって説明した様々な態様は、他の電気通信システム、ネットワークアーキテクチャ、および通信標準に拡張され得る。
【００４０】
例として、様々な態様は、TD-SCDMA、高速ダウンリンクパケットアクセス(HSDPA)、高速アップリンクパケットアクセス(HSUPA)、高速パケットアクセスプラス(HSPA+)、およびTD-CDMAなどの他のUMTSシステムに拡張することができる。様々な態様は、さらに、ロングタームエボリューション(LTE)(FDD、TDD、または両方のモードの)、LTEアドバンスト(LTE-A)(FDD、TDD、または両方のモードの)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、ブルートゥース(登録商標)、および/または他の好適なシステムを使用するシステムに拡張することができる。採用される実際の電気通信標準、ネットワークアーキテクチャ、および/または通信標準は、システムに課される特定のアプリケーションおよび全体的な設計制約に依存することになる。
【００４１】
本開示の様々な態様によれば、要素、または要素の任意の一部分、または要素の任意の組合せは、1つまたは複数のプロセッサを含む「処理システム」で実装することができる。プロセッサの例には、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および本開示の全体にわたって説明した様々な機能を実施するように構成された他の適切なハードウェアが含まれる。処理システムの1つまたは複数のプロセッサはソフトウェアを実行することができる。ソフトウェアは、ソフトウェア、ファームウェア、ミドルウェア、マイクロコード、ハードウェア記述言語、または他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、関数などを意味するように広く解釈されるべきである。
【００４２】
ソフトウェアはコンピュータ可読媒体に存在することができる。コンピュータ可読媒体は、非一時的コンピュータ可読媒体とすることができる。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタルバーサタイルディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取外し可能ディスク、およびコンピュータがアクセスし読み取ることができるソフトウェアおよび/または命令を記憶するための任意の他の好適な媒体を含む。コンピュータ可読媒体は、さらに、例として、伝送路、およびコンピュータがアクセスし読み取ることができるソフトウェアおよび/または命令を送信するための任意の他の好適な媒体を含むことができる。コンピュータ可読媒体は、処理システムに存在してもよく、または処理システムの外に存在してもよく、処理システムを含む多数のエンティティにわたって分散されてもよい。コンピュータ可読媒体は、コンピュータプログラム製品で具現化することができる。例として、コンピュータプログラム製品は、パッケージング材料内のコンピュータ可読媒体を含むことができる。当業者は、特定の用途およびシステム全体に課される全体的な設計制約に応じて、本開示の全体にわたって提示されている説明した機能を最善に実装する方法を認識するであろう。
【００４３】
前の説明は、本明細書で説明した様々な態様を当業者が実践できるようにするために提供されている。これらの態様への様々な変更は当業者には容易に明らかであり、本明細書で規定された一般的原理は他の態様に適用され得る。したがって、特許請求の範囲は、本明細書に示された態様に限定されるように意図されているのではなく、特許請求の範囲の文言と整合する全範囲を許容するように意図されており、ここにおいて、単数形の要素への言及は、そのように明記されていない限り、「唯一無二の」ではなく、むしろ「1つまたは複数」を意味するように意図されている。項目のリスト「のうちの少なくとも1つ」を参照する句は、単一の部材を含むこれらの項目の任意の組合せを参照する。一例として、「a、b、またはcのうちの少なくとも1つ」は、「a」、「b」、「c」、「aおよびb」、「aおよびc」、「bおよびc」、「a、b、およびc」を包含するように意図される。当業者が知っているか、または後に知ることになる、本開示の全体にわたって説明した様々な態様の要素と構造的および機能的に均等なものはすべて、参照により本明細書に明確に組み込まれ、特許請求の範囲によって包含されるように意図される。その上、本明細書で開示するものは、そのような開示が特許請求の範囲に明確に記載されるかどうかに関係なく公に供するように意図されていない。
【符号の説明】
【００４４】
10  ワイヤレス通信システム
12  UE
14  ネットワークエンティティ
16  ネットワーク
18  通信チャネル
19  データ通信チャネル
20  制御通信チャネル
21  フロントエンド
22  SRB
23  帯域固有フィルタ
25  トランシーバ
26  マルチモード電力増幅器
27  アンテナ
30  プロセッサ
31  アップリンク処理構成要素
32  ダウンリンク処理構成要素
33  ベースバンドプロセッサ
35  アプリケーションプロセッサ
40  シグナリング検出構成要素
41  検出決定構成要素
42  通信状態
43  DPDCH DTX検出
44  シグナリング情報
45  DPCCH DTX検出
50  データ送信決定構成要素
60  ゲーティング構成要素
62  DPCCHゲーティングパターン
70  送信方式
71  DCH
72  DPDCH
74  DPCCH
76  長さ
77  データ
78  第1のTTI
79  制御シグナリング
80  TTI
82  SRB送信
84  DTX
90  送信方式
【図１】
2017535127.tif 000003
【図２】
2017535127.tif 000004
【図３】
2017535127.tif 000005
【図４】
2017535127.tif 000006
【図５】
2017535127.tif 000007
【図６】
2017535127.tif 000008
【国際調査報告】
2017535127.tif 000009
2017535127.tif 000010